(57)【要約】      （修正有）【解決手段】ＣＰＵ１４は、クリック操作に従って定義された解析領域の血流特性をＭＲＩ検査によって撮影されたダイナミック造影ＭＲＩ画像ＩＭｔ０，ＩＭｔ２に基づいて解析する。ＭＲＩ検査は複数の検査日の各々で実行され、ＣＰＵ１４は、基準検査日に撮影されたダイナミック造影ＭＲＩ画像ＩＭｔ０，ＩＭｔ２対応する解析結果をサブビューワ２２に表示する。ＣＰＵ１４はまた、基準検査日と異なる１または２以上の検査日のいずれか１つを指定し、指定検査日に撮影されたダイナミック造影ＭＲＩ画像ＩＭｔ０，ＩＭｔ２に対する解析結果をサブビューワ２２に表示する。【効果】解析領域に相当する微小検査部位（＝病変部）の継時的変化を評価する診断者間での評価のばらつきを抑制することができる。【選択図】図１
2017140243.tif 000002
【特許請求の範囲】
【請求項１】
所望の微小検査部位の血流特性を複数の検査日の各々に撮影された検査部位画像に基づいて解析する解析手段、
前記複数の検査日の１つである基準検査日に対応する前記解析手段の解析結果を表示する第１解析結果表示手段、
前記複数の検査日のうち前記基準検査日と異なる１または２以上の検査日のいずれか１つを前記第１解析結果表示手段の処理に関連して指定する指定手段、および
前記指定手段によって指定された検査日に対応する前記解析手段の解析結果を表示する第２解析結果表示手段を備える、診断支援装置。
【請求項２】
前記第１解析結果表示手段によって表示される解析結果の元である微小検査部位と前記第２解析結果表示手段によって表示される解析結果の元である微小検査部位との間での位置ずれを判別する判別手段をさらに備え、
前記第１解析結果表示手段および前記第２解析結果表示手段の少なくとも一方は前記判別手段によって判別された位置ずれに応じて前記解析結果の体裁を変更する、請求項１記載の診断支援装置。
【請求項３】
画素値に応じて異なる平面的色分布を表すカラーマップを前記検査部位画像に基づいて表示するカラーマップ表示手段、
前記カラーマップ表示手段によって表示されたカラーマップ上で微小検査部位指定操作を受け付ける受け付け手段、および
前記微小検査部位指定操作に従って前記所望の微小検査部位を定義する定義手段をさらに備える、請求項１または２記載の診断支援装置。
【請求項４】
前記第１解析結果表示手段および前記第２解析結果表示手段の各々は前記カラーマップを追加的に表示する、請求項３記載の診断支援装置。
【請求項５】
前記カラーマップは既定条件を満足する１または２以上の画素にそれぞれ対応する１または２以上の有色画素からなり、
前記解析手段の解析結果は前記所望の微小検査部位に対応する有色画素によって形成された限定カラーマップを含む、請求項３または４記載の画像診断支援装置。
【請求項６】
前記検査部位画像は検査部位に対する造影剤の注入前後の複数の時刻にそれぞれ撮像された複数の断層画像に相当し、
前記解析手段は早期相および遅延相の各々の血流特性を対象として解析を行う、請求項１ないし５のいずれかに記載の診断支援装置。
【請求項７】
前記解析手段の解析結果は特定の血流特性を示す極小検査部位が前記所望の微小検査部位に占める割合を含む、請求項１ないし６のいずれかに記載の診断支援装置。
【請求項８】
前記指定手段は更新操作に応答して指定対象を更新する指定対象更新手段を含む、請求項１ないし７のいずれかに記載の診断支援装置。
【請求項９】
前記検査部位画像は複数の断層位置の各々に対応し、
断層位置変更操作に応答して前記検査部位画像を更新する検査部位画像更新手段をさらに備える、請求項１ないし８のいずれかに記載の診断支援装置。
【請求項１０】
診断支援装置のプロセッサによって実行される診断支援方法であって、
所望の微小検査部位の血流特性を複数の検査日の各々に撮影された検査部位画像に基づいて解析する解析ステップ、
前記複数の検査日の１つである基準検査日に対応する前記解析ステップの解析結果を表示する第１解析結果表示ステップ、
前記複数の検査日のうち前記基準検査日と異なる１または２以上の検査日のいずれか１つを前記第１解析結果表示ステップの処理に関連して指定する指定ステップ、および
前記指定ステップによって指定された検査日に対応する前記解析ステップの解析結果を表示する第２解析結果表示ステップを備える、診断支援方法。
【請求項１１】
診断支援装置のプロセッサに、
所望の微小検査部位の血流特性を複数の検査日の各々に撮影された検査部位画像に基づいて解析する解析ステップ、
前記複数の検査日の１つである基準検査日に対応する前記解析ステップの解析結果を表示する第１解析結果表示ステップ、
前記複数の検査日のうち前記基準検査日と異なる１または２以上の検査日のいずれか１つを前記第１解析結果表示ステップの処理に関連して指定する指定ステップ、および
前記指定ステップによって指定された検査日に対応する前記解析ステップの解析結果を表示する第２解析結果表示ステップを実行させるための、診断支援プログラム。
【発明の詳細な説明】
【技術分野】
【０００１】
この発明は、診断支援装置、診断支援方法および診断支援プログラムに関し、特に、モダリティによって撮像された断層画像に基づく診断医の診断を支援する、診断支援装置、診断支援方法および診断支援プログラムに関する。
【背景技術】
【０００２】
米国で生まれた乳房ＭＲＩ検査のガイドライン「BI-RADS-MRI」が日本でも認知され、現在は日本版BI-RADS-MRIに則った検査方法，読影方法，レポート記述方法が多くの施設で採用されるようになってきた。
【０００３】
BI-RADS-MRIでは、“ＦＯＣＵＳ”と呼ばれる小造影効果が定義されている。この小造影効果が表れた病変部は、正常乳腺の一部や、線維腺腫，乳房内リンパ節など小さな良性病変を想定しており、ほとんどの場合にカテゴリー３以下と診断されてフォローアップの対象となる。フォローアップとなる場合、半年後或いは１年後に再検査が行われ、ダイナミック造影ＭＲＩ画像上で血流特性を確認することになる。
【先行技術文献】
【特許文献】
【０００４】
【特許文献１】特開２０１４−１９６９９０号公報
【発明の概要】
【発明が解決しようとする課題】
【０００５】
今回の検査によって撮影されたダイナミック造影ＭＲＩ画像を前回の検査によって撮影されたダイナミック造影ＭＲＩ画像と比較する際、診断者は、前回の検査から今回の検査までの期間における病変部の変化（サイズ，血流特性，分布状況などの変化）を視覚的に確認しながら診断を行う。
【０００６】
しかし、このような診断では、診断者の主観によって診断結果（カテゴリー分類）が左右され、診断結果が客観性を十分に担保できない可能性がある。
【０００７】
これに関連して、特許文献１は、血管内に造影剤が注入された被験者を第１の時間帯に撮像して得られたフレーム群から第１の画像を生成し、当該被験者を第２の時間帯に撮像して得られたフレーム群から第２の画像を生成し、第１の画像および第２の画像において重複している血管領域内にＲＯＩを設定することを開示している。
【０００８】
より詳しくは、ＲＯＩは、実際の大動脈の大きさを超えない半径４ピクセルの領域に含まれるカウント値の合計が最も高くなる領域に設定される。なお、カウント値は、造影剤濃度と対応関係を有して各画素に割り当てられた値である。
【０００９】
しかし、特許文献１は、ＲＯＩの自動設定について開示するものの、設定されたＲＯＩの特性を如何にして定量的に評価については開示しておらず、診断者によって評価が変わる可能性がある。
【００１０】
それゆえに、この発明の主たる目的は、病変部の継時的変化を評価する診断者間での評価のばらつきを抑制することができる、診断支援装置、診断支援方法および診断支援プログラムを提供することである。
【課題を解決するための手段】
【００１１】
この発明に従う診断支援装置(10：実施例で相当する参照符号。以下同じ)は、所望の微小検査部位の血流特性を複数の検査日の各々に撮影された検査部位画像(IMt0~IMt2)に基づいて解析する解析手段(S121~S159)、複数の検査日の１つである基準検査日に対応する解析手段の解析結果を表示する第１解析結果表示手段(S31, S41)、複数の検査日のうち基準検査日と異なる１または２以上の検査日のいずれか１つを第１解析結果表示手段の処理に関連して指定する指定手段(S33, S53)、および指定手段によって指定された検査日に対応する解析手段の解析結果を表示する第２解析結果表示手段(S39, S43, S45)を備える。
【００１２】
好ましくは、第１解析結果表示手段によって表示される解析結果の元である微小検査部位と第２解析結果表示手段によって表示される解析結果の元である微小検査部位との間での位置ずれを判別する判別手段(S37)がさらに備えられ、第１解析結果表示手段および第２解析結果表示手段の少なくとも一方は判別手段によって判別された位置ずれに応じて解析結果の体裁を変更する。
【００１３】
好ましくは、画素値に応じて異なる平面的色分布を表すカラーマップ(MPt01, MPt12)を検査部位画像(IMt0~IMt2)に基づいて表示するカラーマップ表示手段(S67~S73)、カラーマップ表示手段によって表示されたカラーマップ上で微小検査部位指定操作を受け付ける受け付け手段(S15)、および微小検査部位指定操作に従って所望の微小検査部位を定義する定義手段(S81~S119)がさらに備えられる。
【００１４】
或る局面では、第１解析結果表示手段および第２解析結果表示手段の各々はカラーマップを追加的に表示する。
【００１５】
他の局面では、カラーマップは既定条件を満足する１または２以上の画素にそれぞれ対応する１または２以上の有色画素からなり、解析手段の解析結果は所望の微小検査部位に対応する有色画素によって形成された限定カラーマップ(RMt01, RMt12)を含む。
【００１６】
好ましくは、検査部位画像は検査部位に対する造影剤の注入前後の複数の時刻にそれぞれ撮像された複数の断層画像に相当し、解析手段は早期相および遅延相の各々の血流特性を対象として解析を行う。
【００１７】
好ましくは、解析手段の解析結果は特定の血流特性を示す極小検査部位が所望の微小検査部位に占める割合を含む。
【００１８】
好ましくは、指定手段は更新操作に応答して指定対象を更新する指定対象更新手段(S53)を含む。
【００１９】
好ましくは、検査部位画像は複数の断層位置の各々に対応し、断層位置変更操作に応答して検査部位画像を更新する検査部位画像更新手段(S11)がさらに備えられる。
【００２０】
この発明に従う診断支援方法は、診断支援装置(10)のプロセッサ(14)によって実行される診断支援方法であって、所望の微小検査部位の血流特性を複数の検査日の各々に撮影された検査部位画像(IMt0~IMt2)に基づいて解析する解析ステップ(S121~S159)、複数の検査日の１つである基準検査日に対応する解析ステップの解析結果を表示する第１解析結果表示ステップ(S31, S41)、複数の検査日のうち基準検査日と異なる１または２以上の検査日のいずれか１つを第１解析結果表示ステップの処理に関連して指定する指定ステップ(S33, S53)、および指定ステップによって指定された検査日に対応する解析ステップの解析結果を表示する第２解析結果表示ステップ(S39, S43, S45)を備える。
【００２１】
この発明に従う診断支援プログラムは、診断支援装置(10)のプロセッサ(14)に、所望の微小検査部位の血流特性を複数の検査日の各々に撮影された検査部位画像(IMt0~IMt2)に基づいて解析する解析ステップ(S121~S159)、複数の検査日の１つである基準検査日に対応する解析ステップの解析結果を表示する第１解析結果表示ステップ(S31, S41)、複数の検査日のうち基準検査日と異なる１または２以上の検査日のいずれか１つを第１解析結果表示ステップの処理に関連して指定する指定ステップ(S33, S53)、および指定ステップによって指定された検査日に対応する解析ステップの解析結果を表示する第２解析結果表示ステップ(S39, S43, S45)を実行させるための、診断支援プログラムである。
【発明の効果】
【００２２】
所望の微小検査部位の血流特性は複数の検査日の各々に撮影された検査部位画像に基づいて解析されるところ、基準検査日に対応する解析結果が表示されると、これに関連して他の検査日が指定され、指定された検査日に対応する解析結果が表示される。つまり、２つの解析結果は、並列的に表示される。この結果、病変部（＝所望の微小検査部位）の継時的変化を評価する診断者間での評価のばらつきを抑制することができる。
【００２３】
この発明の上述の目的，その他の目的，特徴および利点は、図面を参照して行う以下の実施例の詳細な説明から一層明らかとなろう。
【図面の簡単な説明】
【００２４】
【図１】この実施例に適用される医療診断支援システムの構成の一例を示すブロック図である。
【図２】（Ａ）は時刻Ｔ０にダイナミック造影ＭＲＩシーケンスで撮像された複数のダイナミック造影ＭＲＩ画像をそれぞれ収めた複数のＤＩＣＯＭファイルの構造の一例を示す図解図であり、（Ｂ）は時刻Ｔ１にダイナミック造影ＭＲＩシーケンスで撮像された複数のダイナミック造影ＭＲＩ画像をそれぞれ収めた複数のＤＩＣＯＭファイルの構造の一例を示す図解図であり、（Ｃ）は時刻Ｔ２にダイナミック造影ＭＲＩシーケンスで撮像された複数のダイナミック造影ＭＲＩ画像をそれぞれ収めた複数のＤＩＣＯＭファイルの構造の一例を示す図解図である。
【図３】この実施例の診断支援装置を構成するＤＲＡＭに設けられたメインビューワエリア，サブビューワエリアおよびワークエリアのマッピング状態の一例を示す図解図である。
【図４】ダイナミック造影ＭＲＩ画像およびカラーマップがメインビューワに表示された状態の一例を示す図解図である。
【図５】カーソルがメインビューワに多重表示された状態の一例を示す図解図である。
【図６】（Ａ）はカラーマップ上の有色画素を解析するときの動作の一部を示す図解図であり、（Ｂ）はカラーマップ上の有色画素を解析するときの動作の他の一部を示す図解図であり、（Ｃ）はカラーマップ上の有色画素を解析するときの動作のその他の一部を示す図解図であり、（Ｄ）はカラーマップ上の有色画素を解析するときの動作のさらにその他の一部を示す図解図であり、（Ｅ）はカラーマップ上の有色画素を解析するときの動作の他の一部を示す図解図であり、（Ｆ）はカラーマップ上の有色画素を解析するときの動作のその他の一部を示す図解図である。
【図７】（Ａ）はカラーマップ上の有色画素を解析するときの動作のさらにその他の一部を示す図解図であり、（Ｂ）はカラーマップ上の有色画素を解析するときの動作の他の一部を示す図解図であり、（Ｃ）はカラーマップ上の有色画素を解析するときの動作のその他の一部を示す図解図であり、（Ｄ）はカラーマップ上の有色画素を解析するときの動作のさらにその他の一部を示す図解図であり、（Ｅ）はカラーマップ上の有色画素を解析するときの動作の他の一部を示す図解図である。
【図８】（Ａ）は早期相に対応する限定カラーマップの一例を示す図解図であり、（Ｂ）は遅延相に対応する限定カラーマップの一例を示す図解図である。
【図９】血流特性マトリクスの一例を示す図解図である。
【図１０】解析情報の一例を示す図解図である。
【図１１】解析情報がメインビューワに追加表示された状態の一例を示す図解図である。
【図１２】今回の解析情報とこれに関連するカラーマップとがサブビューワの上段に表示された状態の一例を示す図解図である。
【図１３】過去の解析情報（解析履歴）とこれに関連するカラーマップとがサブビューワの下段に追加表示された状態の一例を示す図解図である。
【図１４】微小検査部位が近接する場合に編集された解析情報の一例を示す図解図である。
【図１５】編集された解析情報とこれに関連するカラーマップとがサブビューワの上段に表示され、過去の解析情報に関連するカラーマップがサブビューワの下段に表示された状態の一例を示す図解図である。
【図１６】この実施例の診断支援装置を構成するＣＰＵの動作の一部を示すフロー図である。
【図１７】この実施例の診断支援装置を構成するＣＰＵの動作の他の一部を示すフロー図である。
【図１８】この実施例の診断支援装置を構成するＣＰＵの動作のその他の一部を示すフロー図である。
【図１９】この実施例の診断支援装置を構成するＣＰＵの動作のさらにその他の一部を示すフロー図である。
【図２０】この実施例の診断支援装置を構成するＣＰＵの動作の他の一部を示すフロー図である。
【図２１】この実施例の診断支援装置を構成するＣＰＵの動作のその他の一部を示すフロー図である。
【図２２】この実施例の診断支援装置を構成するＣＰＵの動作のさらにその他の一部を示すフロー図である。
【図２３】この実施例の診断支援装置を構成するＣＰＵの動作の他の一部を示すフロー図である。
【図２４】この実施例の診断支援装置を構成するＣＰＵの動作のその他の一部を示すフロー図である。
【図２５】この実施例の診断支援装置を構成するＣＰＵの動作のさらにその他の一部を示すフロー図である。
【発明を実施するための形態】
【００２５】
図１を参照して、この実施例の医療診断支援システムは、院内ＬＡＮ５０を介して互いに接続された診断支援装置１０，ＭＲＩ装置（モダリティ）３０および画像サーバ４０によって構成される。診断支援装置１０において、バスＢＳ１には、通信Ｉ／Ｆ１２，ＣＰＵ１４，キーボード／マウス１６，ＨＤＤ１８，メインビューワ２０，サブビューワ２２およびＤＲＡＭ２４が接続される。
【００２６】
ＭＲＩ装置３０は、核磁気共鳴現象を利用して、検査部位である被検者の乳房の断層画像を撮影する装置である。ダイナミック造影ＭＲＩシーケンスに従う乳房の撮像処理は、体内に造影剤を注入する前の時刻Ｔ０に１回実行され（これを“プレーン撮像”と呼ぶ）、造影剤の注入が開始された後の互いに異なる時刻Ｔ１およびＴ２に１回ずつ実行される。なお、時刻Ｔ１は早期相に対応する時刻であり、時刻Ｔ２は遅延相に対応する時刻である。
【００２７】
時刻Ｔ０〜Ｔ２の各々での撮像処理の結果、“水平４００画素×垂直４００画素”のマトリクスサイズと“０．８ｍｍ”の画素サイズとを有するダイナミック造影ＭＲＩ画像（検査部位画像）が、０．８ｍｍ間隔で配された１２５個の水平スライス位置の各々に対応して作成される。作成された各々のダイナミック造影ＭＲＩ画像は、ファイル情報（ファイルサイズ，マトリクスサイズ，画素サイズ，スライス間隔），患者情報，撮像時刻，スライス位置とともにＤＩＣＯＭファイルに収められる。
【００２８】
この結果、時刻Ｔ０では図２（Ａ）に示す１２５個のＤＩＣＯＭファイルが作成され、時刻Ｔ１では図２（Ｂ）に示す１２５個のＤＩＣＯＭファイルが作成され、時刻Ｔ２では図２（Ｃ）に示す１２５個のＤＩＣＯＭファイルが作成される。作成されたＤＩＣＯＭファイルはいずれも、院内ＬＡＮ５０を経て画像サーバ４０に保存される。
【００２９】
なお、ＤＩＣＯＭファイルに収められた撮像時刻によって特定される日付がＭＲＩ検査日に相当する。また、同じ患者が数ヶ月〜１年程度おいてＭＲＩ検査を受ける場合があるところ、この実施例では、最新ＭＲＩ検査日が“基準検査日”に相当する。
【００３０】
ＣＰＵ１４は、診断医による画像診断を支援するべく、基準検査日に作成された合計３７５個のＤＩＣＯＭファイルを画像サーバ４０からＨＤＤ１８に取り込んだ上で、図１６〜図２５に示すフロー図に従う処理を実行する。なお、このフロー図に相当するプログラムは、診断支援プログラムとしてＨＤＤ１８に記憶される。
【００３１】
図１６を参照して、ステップＳ１ではダイナミック造影ＭＲＩ画像のスライス位置を識別する変数Ｋを初期値に設定し、ステップＳ３では検査画像表示処理を実行する。ステップＳ３の処理は、具体的には図２０に示すサブルーチンに従う。
【００３２】
ステップＳ６１では、時刻Ｔ０に撮像されたＫ番目のスライス位置のダイナミック造影ＭＲＩ画像を“ＩＭｔ０”として定義し、ダイナミック造影ＭＲＩ画像ＩＭｔ０をＤＲＡＭ２４に展開する。図３を参照して、ＤＲＡＭ２４には６つの小エリアを有するメインビューワエリア２４ｍｖが設けられる。ダイナミック造影ＭＲＩ画像ＩＭｔ０は、メインビューワエリア２４ｍｖの左上段に配された小エリアに展開される。
【００３３】
ステップＳ６３では、時刻Ｔ１に撮像されたＫ番目のスライス位置のダイナミック造影ＭＲＩ画像を“ＩＭｔ１”として定義し、ダイナミック造影ＭＲＩ画像ＩＭｔ１をメインビューワエリア２４ｍｖの中央上段に配された小エリアに展開する。
【００３４】
ステップＳ６５では、時刻Ｔ２に撮像されたＫ番目のスライス位置のダイナミック造影ＭＲＩ画像を“ＩＭｔ２”として定義し、ダイナミック造影ＭＲＩ画像ＩＭｔ２をメインビューワエリア２４ｍｖの右上段に配された小エリアに展開する。
【００３５】
こうして展開されたダイナミック造影ＭＲＩ画像ＩＭｔ０〜ＩＭｔ２は、メインビューワ２０によって読み出される。読み出されたダイナミック造影ＭＲＩ画像ＩＭｔ０〜ＩＭｔ２は、図４に示す要領で画面の左上段，中央上段および右上段にそれぞれ表示される。
【００３６】
ステップＳ６７では、メインビューワエリア２４ｍｖ上のダイナミック造影ＭＲＩ画像ＩＭｔ０およびＩＭｔ１に基づいてカラーマップＭＰｔ０１を作成する。ステップＳ６９では、メインビューワエリア２４ｍｖ上のダイナミック造影ＭＲＩ画像ＩＭｔ１およびＩＭｔ２に基づいてカラーマップＭＰｔ１２を作成する。作成されたカラーマップＭＰｔ０１およびＭＰｔ１２は、ＤＲＡＭ２４に設けられたワークエリア２４ｗに保持される。
【００３７】
ここで、カラーマップＭＰｔ０１およびＭＰｔ１２はいずれも、画素値に応じて異なる平面的色分布を表すマップである。カラーマップＭＰｔ０１を構成する色（＝端的には色相）は、ダイナミック造影ＭＲＩ画像ＩＭｔ０上の画素値とダイナミック造影ＭＲＩ画像ＩＭｔ１上の対応する画素値とを比較して決定される。また、カラーマップＭＰｔ１２を構成する色は、ダイナミック造影ＭＲＩ画像ＩＭｔ１上の画素値とダイナミック造影ＭＲＩ画像ＩＭｔ２上の対応する画素値とを比較して決定される。
【００３８】
また、カラーマップＭＰｔ０１およびＭＰｔ１２のいずれについても、各画素に色を付けるか否かは、ダイナミック造影ＭＲＩ画像ＩＭｔ０の画素値を比較対象とした、ダイナミック造影ＭＲＩ画像ＩＭｔ１の画素値の増加率および増加量に基づいて判断する。具体的には、増加率が４０％以上でかつ増加量が閾値（＝増加率が３９％以下の画素値のうち最大画素値）を上回るという条件が課せられ、この条件を満足する画素に対して色が付される。
【００３９】
したがって、付される色はカラーマップＭＰｔ０１およびＭＰｔ１２の間で相違するものの、色の分布状態はカラーマップＭＰｔ０１およびＭＰｔ１２の間で一致する。
【００４０】
参考までに、有色画素（＝色が付された画素）は腫瘍の染まり具合の形状を表すところ、この形状が円形，卵型，分葉状，不整形のいずれであるかによって良悪性の診断結果が変わる。また、早期相特性（早期相における血流特性）が“Fast”に該当しかつ遅延相特性（遅延相における血流特性）が“Washout”に該当する画素に対応する極小検査部位が最も悪性であると言われている。
【００４１】
ステップＳ７１では、ワークエリア２４ｗ上のカラーマップＭＰｔ０１をメインビューワエリア２４ｍｖの左下段に配された小エリアに展開する。また、ステップＳ７３では、ワークエリア２４ｗ上のカラーマップＭＰｔ１２をメインビューワエリア２４ｍｖの中央下段に配された小エリアに展開する。
【００４２】
なお、ステップＳ７１では、たとえばダイナミック造影ＭＲＩ画像ＩＭｔ０が、メインビューワエリア２４ｍｖの左下段の小エリアに付随的に展開される。同様に、ステップＳ７３でも、たとえばダイナミック造影ＭＲＩ画像ＩＭｔ０が、メインビューワエリア２４ｍｖの中央下段の小エリアに付随的に展開される。カラーマップＭＰｔ０１およびＭＰｔ１２は、こうして展開されたダイナミック造影ＭＲＩ画像ＩＭｔ０に多重される。
【００４３】
メインビューワエリア２４ｍｖに展開されたカラーマップＭＰｔ０１およびＭＰｔ１２（いずれにもダイナミック造影ＭＲＩ画像ＩＭｔ０が付随）は、メインビューワ２０によって読み出され、画面の左下段および中央下段にそれぞれ表示される（図４参照）。
【００４４】
このように、メインビューワ２０の画面は６つの子画面に分割され、ダイナミック造影ＭＲＩ画像ＩＭｔ０〜ＩＭｔ２，カラーマップＭＰｔ０１，ＭＰｔ１２はこのうちの５つの子画面にそれぞれ表示される。検査画像は、こうして表示されたダイナミック造影ＭＲＩ画像ＩＭｔ０〜ＩＭｔ２，カラーマップＭＰｔ０１，ＭＰｔ１２によって構成される。ステップＳ７３の処理が完了すると、上階層のルーチンに復帰する。
【００４５】
図１６に戻って、ステップＳ５では、カーソル多重表示命令をメインビューワ２０に与える。この命令は、互いに同期する２つのカーソルを画面上のカラーマップＭＰｔ０１，ＭＰｔ１２にそれぞれ多重表示するための命令である。メインビューワ２０は、与えられた命令に従って、２つのカーソルをカラーマップＭＰｔ０１，ＭＰｔ１２にそれぞれ多重表示する（図５参照）。
【００４６】
ステップＳ７ではキーボード／マウス１６によってカーソル移動操作が行われたか否かを判別し、ステップＳ９ではキーボード／マウス１６によってページング操作（断層位置変更操作）が行われたか否かを判別する。
【００４７】
ステップＳ７の判別結果およびステップＳ９の判別結果のいずれもがＮＯであればステップＳ７に戻り、ステップＳ９の判別結果がＹＥＳであればステップＳ１１で変数Ｋを更新してからステップＳ３に戻り、ステップＳ７の判別結果がＹＥＳであればステップＳ１３に進む。
【００４８】
ステップＳ１３では、カーソル移動命令をメインビューワ２０に与える。この結果、カラーマップＭＰｔ０１，ＭＰｔ１２に多重表示された２つのカーソルが同期的に移動する。ステップＳ１５では、キーボード／マウス１６によってクリック操作（微小検査部位指定操作）が行われたか否かを判別する。また、ステップＳ１７では、カラーマップＭＰｔ０１またはＭＰｔ１２に多重表示されたカーソルが有色画素を指定しているか否かを判別する。
【００４９】
ステップＳ１５の判別結果およびステップＳ１７の判別結果のいずれか一方がＮＯであれば、そのままステップＳ７に戻る。これに対して、ステップＳ１５の判別結果およびステップＳ１７の判別結果の両方がＹＥＳであれば、ステップＳ１９で解析＆表示処理を実行する。この解析＆表示処理は、図２１〜図２５に示すサブルーチンに従う。
【００５０】
図２１を参照して、ステップＳ８１では、カーソルが指定する有色画素を中心とする水平３画素×垂直３画素の領域を基準領域Ｒ１として設定する（図６（Ａ），図６（Ｂ）参照）。ステップＳ８３では、基準領域Ｒ１に属する９画素のうちラスタ方向における先頭画素を対象画素ＰＩＸｒｅｆとして指定する。
【００５１】
ステップＳ８５では対象画素ＰＩＸｒｅｆが有色画素であるか否かを判別し、判別結果がＮＯであればそのままステップＳ８９に進む。これに対して判別結果がＹＥＳであれば、ステップＳ８７で対象画素ＰＩＸｒｅｆに対応する極小検査部位の早期相特性および遅延相特性を検出し、その後にステップＳ８９に進む。
【００５２】
詳しくは、ステップＳ８７の処理は、早期相特性が“Fast”，“Medium”および“Slow”のいずれに該当し、遅延相特性が “Washout”，“Plateau”および“Persistent”のいずれに該当するかを検出する処理である。早期相特性は、ダイナミック造影ＭＲＩ画像ＩＭｔ０・ＩＭｔ１間での画素値の変化に注目して検出される。また、遅延相特性は、ダイナミック造影ＭＲＩ画像ＩＭｔ１・ＩＭｔ２間での画素値の変化に注目して検出される。
【００５３】
なお、早期相特性が“Fast”に該当する画素は、ダイナミック造影ＭＲＩ画像ＩＭｔ０・ＩＭｔ１間での画素値の変化率が１００％以上の画素である。早期相特性が“Medium”に該当する画素は、ダイナミック造影ＭＲＩ画像ＩＭｔ０・ＩＭｔ１間での画素値の変化率が５０％〜９９％の画素である。早期相特性が“Slow”に該当する画素は、ダイナミック造影ＭＲＩ画像ＩＭｔ０・ＩＭｔ１間での画素値の変化率が４９％以下の画素である。
【００５４】
また、遅延相特性が“Washout”に該当する画素は、ダイナミック造影ＭＲＩ画像ＩＭｔ１・ＩＭｔ２間での画素値の変化率が−１０％以下の画素である。遅延相特性が“Plateau”に該当する画素は、ダイナミック造影ＭＲＩ画像ＩＭｔ１・ＩＭｔ２間での画素値の変化率が−１０％〜１０％の画素である。遅延相特性が“Persistent”に該当する画素は、ダイナミック造影ＭＲＩ画像ＩＭｔ１・ＩＭｔ２間での画素値の変化率が１０％以上の画素である。
【００５５】
ステップＳ８９では、対象画素ＰＩＸｒｅｆが基準領域Ｒ１に属する９画素のうちラスタ方向における末尾画素であるか否かを判別する。判別結果がＮＯであればステップＳ９１に進み、対象画素ＰＩＸｒｅｆを基準領域Ｒ１内でラスタ方向における次画素に更新する。更新が完了すると、ステップＳ８５に戻る。
【００５６】
ステップＳ８９の判別結果がＹＥＳであれば、基準領域Ｒ１を囲む１６個の画素の少なくとも１つが有色画素であるか否かをステップＳ９３で判別し、ステップＳ８７の検出処理を施された画素の総数が閾値ＴＨ１（＝基準領域Ｒ１を形成する画素の総数以下の値であり、たとえば“８”）以下であるか否かをステップＳ９５で判別する。
【００５７】
ステップＳ９３の判別結果またはステップＳ９５の判別結果がＮＯであれば、ステップＳ１１９に進む。これに対して、ステップＳ９３の判別結果およびステップＳ９５の判別結果のいずれもがＹＥＳであれば、ステップＳ９７に進む。
【００５８】
ステップＳ９７では基準領域Ｒ１内の先頭画素を対象画素ＰＩＸｒｅｆとして設定し、ステップＳ９９では対象画素ＰＩＸｒｅｆを中心とする水平３画素×垂直３画素の領域を探索領域Ｒ２として設定する（図６（Ｃ）参照）。ステップＳ１０１では、こうして設定された探索領域Ｒ２に属する９画素のうちラスタ方向における先頭画素を対象画素ＰＩＸｓｃｈとして指定する。
【００５９】
ステップＳ１０３では対象画素ＰＩＸｓｃｈが有色画素であるか否かを判別し、ステップＳ１０５では対象画素ＰＩＸｓｃｈに対応する極小検査部位の早期相特性および遅延相特性が未検出であるか否かを判別する。ステップＳ１０３の判別結果またはステップＳ１０５の判別結果がＮＯであればそのままステップＳ１０９に進む一方、ステップＳ１０３の判別結果およびステップＳ１０５の判別結果のいずれもがＹＥＳであればステップＳ１０７の処理を経てステップＳ１０９に進む。
【００６０】
ステップＳ１０７では、ステップＳ８７と同じ要領で、対象画素ＰＩＸｓｃｈに対応する極小検査部位の早期相特性および遅延相特性を検出する。つまり、ダイナミック造影ＭＲＩ画像ＩＭｔ０・ＩＭｔ１間での画素値の変化に注目して対象画素ＰＩＸｓｃｈに対応する極小検査部位の早期相特性を検出し、ダイナミック造影ＭＲＩ画像ＩＭｔ１・ＩＭｔ２間での画素値の変化に注目して対象画素ＰＩＸｓｃｈに対応する極小検査部位の遅延相特性を検出する。
【００６１】
ステップＳ１０９ではステップＳ８７およびステップＳ１０７で検出処理を施された画素の総数が閾値ＴＨ１以下であるか否かを判別し、判別結果がＮＯであればステップＳ１１９に進む一方、判別結果がＹＥＳであればステップＳ１１１に進む。ステップＳ１１１では、対象画素ＰＩＸｓｃｈが探索領域Ｒ２に属する９画素のうちラスタ方向における末尾画素であるか否かを判別する。ステップＳ１１５では、対象画素ＰＩＸｒｅｆが基準領域Ｒ１に属する９画素のうちラスタ方向における末尾画素であるか否かを判別する。
【００６２】
ステップＳ１１１の判別結果がＮＯであればステップＳ１１３に進み、対象画素ＰＩＸｓｃｈを探索領域Ｒ２内のラスタ方向における次画素に更新する。更新が完了すると、ステップＳ１０３に戻る。ステップＳ１１１の判別結果がＹＥＳでかつステップＳ１１５の判別結果がＮＯであればステップＳ１１７に進み、対象画素ＰＩＸｒｅｆを基準領域Ｒ１内のラスタ方向における次画素に更新する。更新が完了すると、ステップＳ９９に戻る。
【００６３】
したがって、探索領域Ｒ２の配置は、図６（Ｂ）〜図６（Ｆ），図７（Ａ）〜図７（Ｅ）の順に更新される。この結果、クリック操作によって指定された有色画素から連続する１または２以上の有色画素がカラーマップＭＰｔ０１上で探索され、探知された有色画素に対応する極小検査部位の血流特性がダイナミック造影ＭＲＩ画像ＩＭｔ０〜ＩＭｔ２に基づいて検出される。
【００６４】
ステップＳ１１１の判別結果およびステップＳ１１５の判別結果のいずれもがＹＥＳであれば、ステップＳ１１９に進み、ステップＳ８７およびＳ１１７で検出処理を施された複数の有色画素の塊を解析領域として定義する。こうして定義された解析領域が、所望の微小検査部位に相当する。
【００６５】
ステップＳ１２１では、定義された解析領域に外接する矩形の輪郭を有する一部のカラーマップをワークエリア２４ｗ上のカラーマップＭＰ０１ｔおよびＭＰ１２ｔから切り出す。カラーマップＭＰ０１ｔから切り出された一部のカラーマップを“限定カラーマップＲＭ０１ｔ”と定義し、カラーマップＭＰ１２ｔから切り出された一部のカラーマップを“限定カラーマップＲＭ１２ｔ”と定義すると、限定カラーマップＲＭ０１ｔおよびＲＭ１２ｔはそれぞれ図８（Ａ）および図８（Ｂ）に示すように描かれ、そのいずれも、ワークエリア２４ｗに保持される。なお、解析領域は、図８（Ａ）および図８（Ｂ）の各々に示す太線で囲まれた領域に相当する。
【００６６】
ステップＳ１２３ではFast/Washout画素（＝早期相特性が“Fast”に該当しかつ遅延相特性が“Washout”に該当する極小検査部位に対応する画素）の数をカウントし、ステップＳ１２５ではFast/Washout画素がステップＳ１１９で定義された解析領域に占める割合を算出する。
【００６７】
ステップＳ１２７ではFast/Plateau画素（＝早期相特性が“Fast”に該当しかつ遅延相特性が“Plateau”に該当する極小検査部位に対応する画素）の数をカウントし、ステップＳ１２９ではFast/Plateau画素がステップＳ１１９で定義された解析領域に占める割合を算出する。
【００６８】
ステップＳ１３１ではFast/Persistent画素（＝早期相特性が“Fast”に該当しかつ遅延相特性が“Persistent”に該当する極小検査部位に対応する画素）の数をカウントし、ステップＳ１３３ではFast/Persistent画素がステップＳ１１９で定義された解析領域に占める割合を算出する。
【００６９】
ステップＳ１３５ではMedium/Washout画素（＝早期相特性が“Medium”に該当しかつ遅延相特性が“Washout”に該当する極小検査部位に対応する画素）の数をカウントし、ステップＳ１３７ではMedium/Washout画素がステップＳ１１９で定義された解析領域に占める割合を算出する。
【００７０】
ステップＳ１３９ではMedium/Plateau画素（＝早期相特性が“Medium”に該当しかつ遅延相特性が“Plateau”に該当する極小検査部位に対応する画素）の数をカウントし、ステップＳ１４１ではMedium/Plateau画素がステップＳ１１９で定義された解析領域に占める割合を算出する。
【００７１】
ステップＳ１４３ではMedium/Persistent画素（＝早期相特性が“Medium”に該当しかつ遅延相特性が“Persistent”に該当する極小検査部位に対応する画素）の数をカウントし、ステップＳ１４５ではMedium/Persistent画素がステップＳ１１９で定義された解析領域に占める割合を算出する。
【００７２】
ステップＳ１４７ではSlow/Washout画素（＝早期相特性が“Slow”に該当しかつ遅延相特性が“Washout”に該当する極小検査部位に対応する画素）の数をカウントし、ステップＳ１４９ではSlow/Washout画素がステップＳ１１９で定義された解析領域に占める割合を算出する。
【００７３】
ステップＳ１５１ではSlow/Plateau画素（＝早期相特性が“Slow”に該当しかつ遅延相特性が“Plateau”に該当する極小検査部位に対応する画素）の数をカウントし、ステップＳ１５３ではSlow/Plateau画素がステップＳ１１９で定義された解析領域に占める割合を算出する。
【００７４】
ステップＳ１５５ではSlow/Persistent画素（＝早期相特性が“Slow”に該当しかつ遅延相特性が“Persistent”に該当する極小検査部位に対応する画素）の数をカウントし、ステップＳ１５７ではSlow/Persistent画素がステップＳ１１９で定義された解析領域に占める割合を算出する。
【００７５】
ステップＳ１５９では、こうして算出された画素数および割合を参照して、図９に示す血流特性マトリクスを作成する。作成された血流特性マトリクスでは、横方向に早期相が割り当てられ、縦方向に遅延相が割り当てられる。また、作成された血流特性マトリクスは、ワークエリア２４ｗに保持される。
【００７６】
図９を参照して、Fast/Washout画素の割合および画素数は、Fast/Washout画素の面積とともに左上段のマトリクス要素に記載される。Fast/Plateau画素の割合および画素数は、Fast/Plateau画素の面積とともに左中段のマトリクス要素に記載される。Fast/Persistent画素の割合および画素数は、Fast/Persistent画素の面積とともに左下段のマトリクス要素に記載される。
【００７７】
Medium/Washout画素の割合および画素数は、Medium/Washout画素の面積とともに中央上段のマトリクス要素に記載される。Medium/Plateau画素の割合および画素数は、Medium/Plateau画素の面積とともに中央中段のマトリクス要素に記載される。Medium/Persistent画素の割合および画素数は、Medium/Persistent画素の面積とともに中央下段のマトリクス要素に記載される。
【００７８】
Slow/Washout画素の割合および画素数は、Slow/Washout画素の面積とともに右上段のマトリクス要素に記載される。Slow/Plateau画素の割合および画素数は、Slow/Plateau画素の面積とともに右中段のマトリクス要素に記載される。Slow/Persistent画素の割合および画素数は、Slow/Persistent画素の面積とともに右下段のマトリクス要素に記載される。
【００７９】
図２５に戻って、ステップＳ１６１では、ワークエリア２４ｗ上の限定カラーマップＲＭｔ０１，ＲＭｔ１２および血流特性マトリクスを構成要素とする解析情報（図１０参照）を、メインビューワエリア２４ｍｖの左下段に配された小エリアに展開する。展開された解析情報はメインビューワ２０によって読み出され、図１１に示す要領で画面の右下段に表示される。
【００８０】
ステップＳ１６３ではキーボード／マウス１６によって保存操作が行われたか否かを判別し、判別結果がＮＯであればそのままステップＳ１６９に進む。これに対して、判別結果がＹＥＳであれば、ステップＳ１６５で解析情報の保存を通信Ｉ／Ｆ１２に命令し、かつステップＳ１６７でカラーマップＭＰｔ０１，ＭＰｔ１２の保存を通信Ｉ／Ｆ１２に命令する。ステップＳ１６７の処理が完了すると、ステップＳ１６９に進む。
【００８１】
通信Ｉ／Ｆ１２は、メインビューワエリア２４ｍｖの下段に配された小エリアから解析情報とカラーマップＭＰｔ０１，ＭＰｔ１２とを読み出し、読み出された解析情報とカラーマップＭＰｔ０１，ＭＰｔ１２とを院内ＬＡＮ５０を経て画像サーバ４０に転送する。
【００８２】
なお、転送される解析情報には、変数Ｋの値がスライス位置情報として割り当てられ、ステップＳ１５でクリック操作を受け付けたときのカーソルの位置がカーソル位置情報として割り当てられる。
【００８３】
画像サーバ４０は、ステップＳ１６５の処理によって転送された解析情報を対象患者の解析履歴としてストレージ（図示せず）保存し、ステップＳ１６７の処理によって転送されたカラーマップＭＰｔ０１，ＭＰｔ１２を解析履歴に関連付けてストレージに保存する。こうして保存された解析履歴およびカラーマップＭＰｔ０１，ＭＰｔ１２のセット（＝解析履歴／マップセット）は、フォローアップ時の材料とされる。
【００８４】
ステップＳ１６９ではキーボード／マウス１６によって終了操作が行われたか否かを判別し、判別結果がＮＯであればステップＳ１６３に戻る一方、判別結果がＹＥＳであれば上階層のルーチンに復帰する。
【００８５】
図１７に戻って、ステップＳ２１ではキーボード／マウス１６によって解析履歴表示操作が行われたか否かを判別し、判別結果がＮＯであればステップＳ７に戻る一方、判別結果がＹＥＳであればステップＳ２３に進む。ステップＳ２３では、ＨＤＤ１８に取り込まれたＤＩＣＯＭファイル（基準検査日に作成されたＤＩＣＯＭファイル）から患者情報を検出し、検出した患者情報が示す患者の解析履歴／マップセットの転送を通信Ｉ／Ｆ１２および院内ＬＡＮ５０を通して画像サーバ４０に要求する。
【００８６】
画像サーバ４０は、要求に従う解析履歴／マップセットをストレージから探索する。探索に成功すると、画像サーバ４０は、探知された１または２以上の解析履歴／マップセットを診断支援装置１０に返送する。これに対して、探索に失敗すると、画像サーバ４０は、不存在通知を診断支援装置１０に返送する。
【００８７】
ステップＳ２５では解析履歴／マップセットが返送されたか否かを判別し、ステップＳ２７では不存在通知が返送されたか否かを判別する。ステップＳ２５の判別結果およびステップＳ２７の判別結果のいずれもがＮＯであればステップＳ２５に戻り、ステップＳ２７の判別結果がＹＥＳであればステップＳ７に戻り、ステップＳ２５の判別結果がＹＥＳであればステップＳ２９に進む。
【００８８】
ステップＳ２９では、返送された解析履歴／マップセットをＤＲＡＭ２４のワークエリア２４ｗに保持する。ステップＳ３１では、メインビューワエリア２４ｍｖの下段に展開されたカラーマップＭＰｔ０１，ＭＰｔ１２および解析情報をＤＲＡＭ２４に設けられたサブビューワエリア２４ｓｖ（図３参照）に複製する。
【００８９】
図３に示すように、サブビューワエリア２４ｓｖもまた６つの小エリアを有する。複製されたカラーマップＭＰｔ０１，ＭＰｔ１２および解析情報は、左上段の小エリア，中央上段の小エリアおよび右上段の小エリアにそれぞれ展開される。
【００９０】
サブビューワ２２は、サブビューワエリア２４ｓｖ上の６つの小エリアにそれぞれ対応する６つの子画面を有する。サブビューワエリア２４ｓｖの上段に展開されたカラーマップＭＰｔ０１，ＭＰｔ１２および解析情報は、サブビューワ２２によって読み出され、上段の３つの子画面に図１２に示す要領で表示される。
【００９１】
ステップＳ３３では、ワークエリア２４ｗに保持された１または２以上の解析履歴／マップセットの中から最新の解析履歴／マップセットを指定する。ステップＳ３５では、指定された解析履歴／マップセットからスライス位置情報およびカーソル位置情報を検出する。ステップＳ３７では、検出されたスライス位置情報が現時点の変数Ｋの値と略一致し、かつ検出されたカーソル位置情報がステップＳ１５でクリック操作を受け付けたときのカーソルの位置と略一致するという論理積条件が満足されるか否かを判別する。
【００９２】
ステップＳ３７の処理は、指定された解析履歴／マップセットが対象とする微小検査部位とクリックされた微小検査部位との位置ずれが許容範囲に収まるか否かを判別する処理に相当する。
【００９３】
ステップＳ３７の判別結果がＮＯであればステップＳ３９に進み、指定された解析履歴／マップセットを構成する解析履歴，カラーマップＭＰｔ０１およびＭＰｔ１２をサブビューワエリア２４ｓｖの下段に配された３つの小エリアにそれぞれ展開する。具体的には、カラーマップＭＰｔ０１およびＭＰｔ１２を右下段の小エリアおよび中央下段の小エリアにそれぞれ展開し、解析履歴を左下段の小エリアに展開する。この結果、サブビューワ２２の表示は図１３に遷移する。ステップＳ３９の処理が完了すると、ステップＳ４７に進む。
【００９４】
ステップＳ３７の判別結果がＹＥＳであればステップＳ４１に進み、サブビューワエリア２４ｓｖの右上段の小エリアに展開された解析情報の体裁を変更する。具体的には、解析情報を構成する限定カラーマップＲＭｔ０１およびＲＭｔ１２の配置を右にシフトさせ、さらに血流特性マトリクスに記載された数値の全部または一部を右にシフトさせる（図１４参照）。
【００９５】
ステップＳ４３では、指定された解析履歴／マップセットを構成するカラーマップＭＰｔ０１およびＭＰｔ１２をサブビューワエリア２４ｓｖの左下段および中央下段に配された２つの小エリアに展開する。
【００９６】
ステップＳ４５では、指定された解析履歴／マップセットを構成する解析履歴から限定カラーマップＲＭｔ０１およびＲＭｔ１２を抽出し、抽出された限定カラーマップＲＭｔ０１およびＲＭｔ１２をステップＳ４１でシフトされた限定カラーマップＲＭｔ０１およびＲＭｔ１２の左側に展開する。ステップＳ４５ではまた、指定された解析履歴／マップセットを構成する解析履歴から血流特性マトリクスを抽出し、抽出した血流特性マトリクスに記載された数値の全部または一部をステップＳ４１でシフトされた数値の左側に書き込む（図１４参照）。
【００９７】
なお、ステップＳ４１およびＳ４５の処理対象となる数値は、解析情報をなす血流特性マトリクスと解析履歴をなす血流特性マトリクスとの間で異なる数値に限定される。また、サブビューワエリア２４ｓｖの右下段の小エリアに解析履歴が展開されていた場合、この解析履歴はステップＳ４５において消去される。
【００９８】
この結果、サブビューワ２２の表示は、図１５に遷移する。つまり、共通の微小検査部位について作成された解析情報および解析履歴については、共通の子画面に表示される。また、右下段の子画面に解析履歴が表示されていた場合、この解析履歴は非表示とされる。ステップＳ４５の処理が完了すると、ステップＳ４７に進む。
【００９９】
ステップＳ４７ではキーボード／マウス１６によってスクロール操作が行われたか否かを判別し、ステップＳ４９ではワークエリア２４ｗに保持された解析履歴／マップセットの数が“２”以上であるか否かを判別し、ステップＳ５１ではキーボード／マウス１６によって終了操作が行われたか否かを判別する。
【０１００】
ステップＳ４７の判別結果またはステップＳ４９の判別結果がＮＯで、かつステップＳ５１の判別結果がＮＯであれば、ステップＳ４７に戻る。ステップＳ４７の判別結果およびステップＳ４９の判別結果のいずれもがＹＥＳであれば、ステップＳ５３で別の解析履歴／マップセットをワークエリア２４ｗ上で指定し、その後にステップＳ３５に戻る。ステップＳ５１の判別結果がＹＥＳであれば、ステップＳ５５でサブビューワ２２上の画面を非表示とし、その後にステップＳ７に戻る。
【０１０１】
以上の説明から分かるように、ＣＰＵ１４は、クリック操作に従って定義された解析領域（所望の微小検査部位）の血流特性をＭＲＩ検査によって撮影されたダイナミック造影ＭＲＩ画像（検査部位画像）ＩＭｔ０，ＩＭｔ２に基づいて解析する(S121~S159)。ＭＲＩ検査は複数の検査日の各々で実行され、ＣＰＵ１４は、基準検査日に撮影されたダイナミック造影ＭＲＩ画像ＩＭｔ０，ＩＭｔ２対応する解析結果をサブビューワ２２に表示する(S31, S41)。ＣＰＵ１４はまた、基準検査日と異なる１または２以上の検査日のいずれか１つを指定し(S33, S53)、指定検査日に撮影されたダイナミック造影ＭＲＩ画像ＩＭｔ０，ＩＭｔ２に対する解析結果をサブビューワ２２に表示する(S39, S43, S45)。
【０１０２】
基準検査日に対応して得られた解析結果と指定検査日に対応して得られた解析結果とを並列的に表示することで、解析領域に相当する微小検査部位（＝病変部）の継時的変化を評価する診断者間での評価のばらつきを抑制することができる。
【０１０３】
なお、この実施例では、対象患者に対する最新のＭＲＩ検査日を基準検査日としている。しかし、対象患者に対する過去の１または２以上のＭＲＩ検査日のいずれか１つを基準検査日とするようにしてもよい。
【符号の説明】
【０１０４】
１０  …診断支援装置
１４  …ＣＰＵ
１６  …キーボード／マウス
２０  …ビューワ
２２  …ＤＲＡＭ
３０  …ＭＲＩ装置
４０  …画像サーバ
５０  …院内ＬＡＮ
【図１】
2017140243.tif 000003
【図２】
2017140243.tif 000004
【図３】
2017140243.tif 000005
【図４】
2017140243.tif 000006
【図５】
2017140243.tif 000007
【図６】
2017140243.tif 000008
【図７】
2017140243.tif 000009
【図８】
2017140243.tif 000010
【図９】
2017140243.tif 000011
【図１０】
2017140243.tif 000012
【図１１】
2017140243.tif 000013
【図１２】
2017140243.tif 000014
【図１３】
2017140243.tif 000015
【図１４】
2017140243.tif 000016
【図１５】
2017140243.tif 000017
【図１６】
2017140243.tif 000018
【図１７】
2017140243.tif 000019
【図１８】
2017140243.tif 000020
【図１９】
2017140243.tif 000021
【図２０】
2017140243.tif 000022
【図２１】
2017140243.tif 000023
【図２２】
2017140243.tif 000024
【図２３】
2017140243.tif 000025
【図２４】
2017140243.tif 000026
【図２５】
2017140243.tif 000027